(57)【要約】【課題】  ケーブルを敷設する配管のルートを容易かつ正確に決定することができる配管管理装置、配管管理方法および配管管理のプログラムを提供する。【解決手段】  配管管理装置は、配管の任意の場所および電気機器の位置を示す位置情報と、配管の任意の場所および電気機器の配管の接続関係を示す接続情報と、を取得する情報取得部と、位置情報および接続情報に基づいて、指定した２地点間の配管のルートを検索する配管ルート検索部と、を備えている。【選択図】      図４
2018028861.tif 000002
【特許請求の範囲】
【請求項１】
配管の任意の場所および電気機器の位置を示す位置情報と、前記配管の任意の場所および前記電気機器の配管の接続関係を示す接続情報と、を取得する情報取得部と、
前記位置情報および前記接続情報に基づいて、指定した２地点間の配管のルートを検索する配管ルート検索部と、を備えることを特徴とする配管管理装置。
【請求項２】
前記位置情報および前記接続情報に基づいて、検索した配管のルートの距離を算定することを特徴とする請求項１記載の配管管理装置。
【請求項３】
前記情報取得部が、前記電気機器を撮影した画像の情報を取得することを特徴とする請求項１または２記載の配管管理装置。
【請求項４】
前記情報取得部が、検索した配管のルートに備えられるケーブルの情報を取得することを特徴とする請求項１、２または３記載の配管管理装置。
【請求項５】
配管の任意の場所および電気機器の位置を示す位置情報と、前記配管の任意の場所および前記電気機器の配管の接続関係を示す接続情報と、を取得するステップと、
前記位置情報および前記接続情報に基づいて、指定した２地点間の配管のルートを検索するステップと、を備えることを特徴とする配管管理方法。
【請求項６】
コンピュータを、
配管の任意の場所および電気機器の位置を示す位置情報と、前記配管の任意の場所および前記電気機器の配管の接続関係を示す接続情報と、を取得する情報取得部と、
前記位置情報および前記接続情報に基づいて、指定した２地点間の配管のルートを検索する配管ルート検索部と、を備える配管管理装置として機能させるための配管管理のプログラム。
【発明の詳細な説明】
【技術分野】
【０００１】
本発明は、配管管理装置、配管管理方法および配管管理のプログラムに関する。
【背景技術】
【０００２】
施設において、新規に電気機器を設置する場合、ケーブルを施設内の配管に敷設して電気機器に接続する必要がある。特に、ダムなどの大規模施設では、配管が複雑に入り組んでおり、また電気機器や配管の情報が、フロアや部屋ごとの図面に記載されているため、ケーブルを敷設するルートを適切に設定することは非常に困難であった。また、ケーブルを敷設するルートを決定し、実際の現場に行ってルートを確認すると、そのルートではケーブルを敷設できないということがあり、この場合には再度ルートを検証し、また現場でルートを確認する必要があるため、ルートの決定や現場でのルートの確認に手間と時間とコストがかかっていた。
なお、ルートを検索するものとして、特許文献１にはナビゲーション装置が開示されている。
【先行技術文献】
【特許文献】
【０００３】
【特許文献１】特開２０１４−０８９１５２号
【発明の概要】
【発明が解決しようとする課題】
【０００４】
本発明は、施設の配管を管理し、ケーブルを敷設する配管のルートを容易かつ正確に決定することができる配管管理装置、配管管理方法および配管管理のプログラムを提供する。
【課題を解決するための手段】
【０００５】
配管管理装置は、配管の任意の場所および電気機器の位置を示す位置情報と、配管の任意の場所および電気機器の配管の接続関係を示す接続情報と、を取得する情報取得部と、位置情報および接続情報に基づいて、指定した２地点間の配管のルートを検索する配管ルート検索部と、を備えている。
【０００６】
また、配管管理装置は、位置情報および接続情報に基づいて、検索した配管のルートの距離を算定するものであってもよい。
【０００７】
また、配管管理装置は、情報取得部が、電気機器を撮影した画像の情報を取得するものであってもよい。
【０００８】
また、配管管理装置は、情報取得部が、検索した配管のルートに備えられるケーブルの情報を取得するものであってもよい。
【０００９】
配管管理方法は、配管の任意の場所および電気機器の位置を示す位置情報と、配管の任意の場所および電気機器の配管の接続関係を示す接続情報と、を取得するステップと、位置情報および接続情報に基づいて、指定した２地点間の配管のルートを検索するステップと、を備えている。
【００１０】
配管管理のプログラムは、配管の任意の場所および電気機器の位置を示す位置情報と、配管の任意の場所および電気機器の配管の接続関係を示す接続情報と、を取得する情報取得部と、位置情報および接続情報に基づいて、指定した２地点間の配管のルートを検索する配管ルート検索部と、を備える配管管理装置としてコンピュータを機能させる。
【発明の効果】
【００１１】
本発明によると、施設において配管にケーブルを敷設するための配管のルートを容易かつ適切に検索することができ、ルートの決定や、現場でのルートの確認にかかる手間、時間およびコストを大幅に削減することができる。
【図面の簡単な説明】
【００１２】
【図１】配管管理装置を用いたシステムを示す図である。
【図２】配管管理装置のハードウェアの構成を示す図である。
【図３】サーバのハードウェアの構成を示す図である。
【図４】配管管理装置およびサーバの機能的構成を示す図である。
【図５】図面データ、対象および対象の接続状況を表示装置に平面的に表示した様子を示す図である。
【図６】図面データ、対象および対象の接続状況を表示装置に３次元的に表示した様子を示す図である。
【図７】エリア情報テーブルに登録される情報を示す図である。
【図８】図面情報テーブルに登録される情報を示す図である。
【図９】位置情報テーブルに登録される情報を示す図である。
【図１０】接続情報テーブルに登録される情報を示す図である。
【図１１】画像情報テーブルに登録される情報を示す図である。
【図１２】配管ルート検索部によるルート検索の流れを示す図である。
【図１３】ルート情報テーブルに登録される情報を示す図である。
【図１４】配管管理装置の使用の流れを示す図である。
【発明を実施するための形態】
【００１３】
以下、本発明の実施形態について説明する。配管管理装置１０は、図１に示すシステムに用いられる。配管管理装置１０は、サーバ３０にネットワーク７０を介して接続している。
ネットワーク７０は、インターネット、ＬＡＮおよび移動体通信網等により構成されている。ネットワーク７０は、有線であってもよいし、無線であってもよい。
【００１４】
配管管理装置１０は、ハードウェアの構成として、図２に示すように、ＣＰＵ１１（Central Processing Unit）と、ＲＡＭ１２（Random Access Memory）と、ＲＯＭ１３（Read Only Memory）と、記憶装置１４と、通信装置１５と、入力装置１６と、表示装置１７と、を備えており、これらはバス１８により接続されている。
【００１５】
ＣＰＵ１１は、配管管理装置１０を制御するとともに、配管管理装置１０の機能的構成を実現するプログラムを実行する。ＲＡＭ１２は、ＣＰＵ１１の作業領域として使用される。ＲＯＭ１３は、各種プログラム等が記憶される。記憶装置１４は、プログラムおよび情報（データ）等を記憶するものであり、ハードディスクドライブ、フラッシュメモリ等のメモリまたはＣＤ（Compact Disk）もしくはＤＶＤ（Digital Versatile Disc）等の記憶媒体用ドライブで構成される。通信装置１５は、ネットワーク７０を介してサーバ３０または他の配管管理装置１０と通信を行うための通信インターフェイスである。入力装置１６は、情報を入力するためのものであり、キーボードやマウスなどにより構成される。表示装置１７は、ＣＲＴディスプレイまたは液晶ディスプレイなどにより構成される。
【００１６】
サーバ３０は、ハードウェアの構成として、図３に示すように、ＣＰＵ３１（Central Processing Unit）と、ＲＡＭ３２（Random Access Memory）と、ＲＯＭ３３（Read Only Memory）と、記憶装置３４と、通信装置３５と、を備えており、これらはバス３８により接続されている。
【００１７】
配管管理装置１０およびサーバ３０のハードウェアとしては、パーソナルコンピュータ、またはタブレットコンピュータなどを用いることができる。
【００１８】
配管管理装置１０は、図４に示すように、機能的構成として、情報取得部２０と、入力補助部２２と、配管ルート検索部２４と、出力部２６と、を備えている。これら機能的構成を実現するプログラムは、配管管理装置１０のＲＯＭ１３または記憶装置１４に記憶されており、ＣＰＵ１１が、ＲＡＭ１２を作業領域としてプログラムを実行することによりその機能が実現される。
【００１９】
サーバ３０は、図４に示すように、記憶装置３４に、エリア情報テーブル４１、図面情報テーブル４２、位置情報テーブル４３、接続情報テーブル４４、画像情報テーブル４５、ルート情報テーブル４６を備えている。また、サーバ３０は、記憶装置３４に、エリア内の施設を示す図面データ５１および施設に敷設されているまたは敷設予定の電気機器６２を撮影した画像５３（画像データ）を備えている。
なお、上記各テーブル、図面データ５１および画像５３は、配管管理装置１０の記憶装置１４に備えられるものであってもよい。この場合、サーバ３０およびネットワーク７０は不要である。
【００２０】
情報取得部２０は、図４に示すように、エリア情報取得部２０ａと、図面情報取得部２０ｂと、位置情報取得部２０ｃと、接続情報取得部２０ｄと、画像情報取得部２０ｅと、ケーブル情報取得部２０ｆと、を備えている。
【００２１】
入力補助部２２は、図５または図６に示すように、図面データ５１、電気機器６２、配管の任意の場所６６または電気機器６２と配管６４の接続関係を平面的または３次元的に表示装置１７に表示しながら、入力装置１６により、表示装置１７に表示される所定の領域内に表示されるものを指定したり、領域内の場所の座標を取得したりするものである。
【００２２】
エリア情報取得部２０ａは、配管６４の管理が行われる施設が存在するエリアの情報（以下、エリア情報とする）を取得する。具体的には、エリア情報取得部２０ａは、入力装置１６からの入力により、エリア情報としてエリア名を取得する。
【００２３】
また、エリア情報取得部２０ａは、取得したエリア名にエリアＩＤを付与してエリア情報テーブル４１に登録し、エリア情報テーブル４１の更新を行う。図７はエリア情報テーブル４１に登録される情報を示す。エリアＩＤは、エリアを識別するためのＩＤであり、エリアごとに異なる数字が割り振られる。
【００２４】
以下の説明において、エリア情報とは、エリア名またはこれにエリアＩＤを含めたもののことをいうものとする。
【００２５】
エリア情報取得部２０ａでエリア情報を取得することにより、エリアＩＤを指定すれば、指定したエリアＩＤに関連する後述の図面データ情報、位置情報、接続情報または画像情報を図面情報テーブル４２、位置情報テーブル４３、接続情報テーブル４４、画像情報テーブル４５から参照することができる。
【００２６】
図面情報取得部２０ｂは、エリア内の施設を示す図面データ５１の情報（以下、図面データ情報とする）を取得する。具体的には、図面情報取得部２０ｂは、入力装置１６からの入力により、図面データ情報として、図面データ５１が示す施設が属するエリアのエリアＩＤ、図面データ５１の図面名、図面データ５１のパスおよびファイル名、図面データ５１の基準点の座標（Ｘ０，Ｙ０，Ｚ０）ならびに図面データ５１の基準点とエリアの基準点の座標との差（オフセット）であってＸ座標とＹ座標に関するもの（ＬＸ，ＬＹ）を取得する。図面データ５１が属するエリアのエリアＩＤは、エリア情報テーブル４１から取得することができる。図面データ５１は、施設を平面的に示すデータで構成されている。
【００２７】
また、図面情報取得部２０ｂは、取得した図面データ５１が示す施設が属するエリアのエリアＩＤ、図面の名称、図面データ５１のパスおよびファイル名、図面データ５１の基準点の座標（Ｘ０，Ｙ０，Ｚ０）ならびに図面データ５１の基準点とエリアの基準点の座標との差（オフセット）であってＸ座標とＹ座標に関するもの（ＬＸ，ＬＹ）に図面ＩＤを付与して図面情報テーブル４２に登録し、図面情報テーブル４２の更新を行う。図８は図面情報テーブル４２に登録される情報を示す。図面ＩＤは、図面データ５１を識別するためのＩＤであり、各エリアの図面データ５１ごとに異なる数字が割り振られる。
【００２８】
以下の説明において、図面データ情報とは、図面データ５１が属するエリアのエリアＩＤ、図面の名称、図面データ５１のパスおよびファイル名、図面データ５１の基準点の座標ならびに図面データ５１の基準点とエリアの基準点の座標との差（オフセット）のうちＸ座標とＹ座標に関するものまたはこれらに図面ＩＤを含めたもののことをいうものとする。
【００２９】
図面情報取得部２０ｂで図面データ情報を取得することにより、エリアＩＤと図面ＩＤを指定すれば、指定したエリアＩＤと図面ＩＤに関連する後述の図面データ情報、位置情報、接続情報または画像情報を、図面情報テーブル４２、位置情報テーブル４３、接続情報テーブル４４または画像情報テーブル４５から参照することができる。
【００３０】
位置情報取得部２０ｃは、エリア内の施設に敷設されているまたは敷設予定の配管の任意の場所６６または電気機器６２の位置の情報（以下、位置情報とする）を取得する。配管の任意の場所６６とは、配管６４の接続地点、配管６４の端部または配管６４の途中の任意の場所のことを意味する。以下の説明において、配管６４自体または配管の任意の場所６６および電気機器６２のことを、対象と言うことがあるものとする。配管６４は、便宜上、線状のものとして扱う。
【００３１】
具体的には、位置情報取得部２０ｃは、入力装置１６からの入力により、対象が敷設されているまたは敷設予定のエリアのエリアＩＤおよび施設の図面データ５１の図面ＩＤ、入力される対象について電気機器６２または配管６４の種別を特定する種別ＩＤならびに配管の任意の場所６６または電気機器６２の平面的な座標（Ｘ，Ｙ）を取得する。対象が敷設されているまたは敷設予定のエリアのエリアＩＤおよび施設の図面データ５１の図面ＩＤは、それぞれエリア情報テーブル４１および図面情報テーブル４２から取得することができる。種別ＩＤは、電気機器６２と配管６４に対し異なる数字が付与される。
位置情報取得部２０ｃは、種別（種別ＩＤ）が電気機器６２の場合には、入力装置１６からの入力により電気機器６２の名称を対象の名称として取得する。
【００３２】
位置情報の入力は、入力補助部２２により、対象が敷設されているまたは敷設予定のエリアのエリアＩＤおよび施設の図面データ５１の図面ＩＤに対応する図面データ情報を図面データ情報テーブルから抽出し、図面データ情報に対応する図面データ５１を図５に示すように表示装置１７に表示し、入力装置１６で、対象の種別を入力したり、対象の平面的な位置を入力したりすることにより、種別ＩＤならびに対象の平面的な座標（Ｘ，Ｙ）を取得するものであってもよい。
【００３３】
位置情報の入力に、入力補助部２２を用いると、施設を示す図面データ５１を表示装置１７に表示しながら、対象の位置を入力することができるので、視覚的にわかりやすく、効率的に対象の位置情報を入力することができる。
【００３４】
位置情報取得部２０ｃは、対象が敷設されているまたは敷設予定のエリアのエリアＩＤおよび図面データ５１の図面ＩＤ、種別ＩＤならびに対象の平面的な座標（Ｘ，Ｙ）に、位置ＩＤを付与して位置情報テーブル４３に登録し、位置情報テーブル４３の更新を行う。図９は位置情報テーブル４３に登録される情報を示す。位置ＩＤは、対象の位置を識別するためのＩＤであり、対象が敷設されているまたは敷設予定の各施設の図面データ５１に対し、対象ごとに異なる数字が付与される。
【００３５】
以下の説明において、位置情報とは、対象が属するエリアのエリアＩＤおよび図面データ５１の図面ＩＤ、種別ＩＤならびに対象の平面的な座標（Ｘ，Ｙ）またはこれらに位置ＩＤを含めたもののことをいうものとする。
【００３６】
位置情報取得部２０ｃで対象の位置情報を取得することにより、施設内に配される対象の位置情報を構築することができ、対象の位置状況を把握できる。
【００３７】
接続情報取得部２０ｄは、位置情報取得部２０ｃで位置情報を取得した対象（配管の任意の場所６６または電気機器６２）のうち２つの対象の配管６４の接続関係を示す接続情報を取得する。具体的には、接続情報取得部２０ｄは、入力装置１６からの入力により、位置情報テーブル４３から配管６４で接続される２つの対象の位置ＩＤを接続始点ＩＤおよび接続終点ＩＤとして取得するとともに、接続始点ＩＤおよび接続終点ＩＤに対応するエリアＩＤを取得し、接続始点ＩＤおよび接続終点ＩＤに対応する図面ＩＤをそれぞれ接続始点図面ＩＤおよび接続終点ＩＤとして取得する。
【００３８】
接続情報の入力は、入力補助部２２により、対象が属するエリアのエリアＩＤおよび施設の図面データ５１の図面ＩＤに対応する図面データ情報および位置情報を図面データ情報テーブルおよび位置情報テーブル４３からそれぞれ抽出し、図５および図６に示すように平面的または３次元的に図面データ５１および対象の位置を表示装置１７に表示しながら、入力装置１６で、配管６４で接続される２つの対象を指定することにより、対象が属するエリアのエリアＩＤ、対象が属する図面データ５１の図面ＩＤである接続始点図面ＩＤおよび接続終点図面ＩＤならびに接続始点ＩＤおよび接続終点ＩＤを取得するものであってもよい。配管６４で接続される２つの対象が、高さＺの異なる図面データ５１の領域内に位置する場合には、図６に示すように３次元的に図面データ５１を表示装置１７に表示すると、それぞれの図面データ５１の領域に含まれる対象が見やすくなり、接続関係の入力も入力しやすくなる。
【００３９】
接続情報の入力に、入力補助部２２を用いると、表示装置１７に施設を示す図面データ５１を表示しながら配管６４で接続される２つの対象を指定することができるので、視覚的にわかりやすく、効率的に接続情報を入力することができる。
【００４０】
また、接続情報取得部２０ｄは、配管６４で接続される２つの対象間の距離を算定する。具体的には、接続情報取得部２０ｄは、取得したエリアＩＤ、接続始点図面ＩＤ、接続始点ＩＤ、接続終点図面ＩＤおよび接続終点ＩＤに基づいて、位置情報テーブル４３から接続関係にある２つの対象の座標（Ｘ，Ｙ）を取得し、取得した座標に基づいて接続関係にある２つの対象間の距離を算定する。接続関係にある２つの対象の高さが異なる場合には、接続始点図面ＩＤおよび接続終点図面ＩＤに対応する図面情報テーブル４２の情報から図面データ５１の基準点の座標（Ｘ０，Ｙ０，Ｚ０）を取得し、高さＺ０の差を考慮して接続関係にある２つの対象間の距離を算定する。
【００４１】
また、接続情報取得部２０ｄは、取得したエリアＩＤ、接続始点図面ＩＤ、接続始点ＩＤ、接続終点図面ＩＤおよび接続終点ＩＤおよび接続関係にある２つの対象間の距離を接続情報テーブル４４に登録し、接続情報テーブル４４の更新を行う。図１０は接続情報テーブル４４に登録される情報を示す。
【００４２】
以下の説明において、接続情報とは、取得したエリアＩＤ、接続始点図面ＩＤ、接続始点ＩＤ、接続終点図面ＩＤおよび接続終点ＩＤまたはこれらに接続関係にある２つの対象間の距離を含めたものをいうものとする。
【００４３】
接続情報取得部２０ｄで接続情報を取得することにより、エリア内の配管６４網のデータを構築することができ、エリア内における対象の配管６４の接続状況を把握することができる。
【００４４】
画像情報取得部２０ｅは、対象のうち電気機器６２を撮影した画像５３（画像ファイル）の情報を取得する。具体的には、画像情報取得部２０ｅは、入力装置１６からの入力により、位置情報テーブル４３から、画像５３の情報を取得しようとする電気機器６２の位置ＩＤと、そのエリアＩＤおよび図面ＩＤを取得するとともに、この電気機器６２を撮影した画像５３のパスおよびファイル名を取得する。電気機器６２を撮影した画像５３としては、電気機器６２の外観を撮影した画像や、電気機器６２の電気的接続部を撮影した画像などが挙げられる。画像５３の形式は、どのようなものであってもよい。
【００４５】
画像情報の入力は、入力補助部２２により、画像５３の情報を取得しようとする電気機器６２が属するエリアのエリアＩＤおよび施設の図面データ５１の図面ＩＤに対応する図面データ情報および位置情報を図面データ情報テーブルおよび位置情報テーブル４３からそれぞれ抽出し、図５および図６に示すように平面的または３次元的に図面データ５１および対象の位置を表示装置１７に表示しながら、入力装置１６により、電気機器６２を指定することにより、その位置ＩＤを取得してもよい。
【００４６】
画像情報取得部２０ｅは、取得したエリアＩＤ、図面ＩＤ、電気機器６２の位置ＩＤならびに画像５３のパスおよびファイル名に、画像ＩＤを付与して、画像情報テーブル４５に登録し、画像情報テーブル４５の更新を行う。図１１は画像情報テーブル４５に登録される情報を示す。画像ＩＤは、各電気機器６２において画像５３（画像ファイル）ごとに異なる数字が割り振られる。
【００４７】
以下の説明において、画像５３の情報とは、取得したエリアＩＤ、図面ＩＤ、電気機器６２の位置ＩＤならびに画像５３のパスおよびファイル名またはこれらに画像ＩＤを含めたものをいうものとする。
【００４８】
配管ルート検索部２４は、指定した２地点間の配管６４のルートを検索する。図１２は、配管ルート検索部２４による配管６４のルート検索の流れを示す。
【００４９】
まず、配管ルート検索部２４は、ルートの検索の条件として、入力装置１６からの入力により、位置情報テーブル４３に登録された対象（配管の任意の場所６６または電気機器６２）のうちからルート検索の始点および終点を指定し、指定した対象の位置ＩＤを始点ＩＤおよび終点ＩＤとして取得するとともに、始点ＩＤおよび終点ＩＤに対応するエリアＩＤと、始点ＩＤおよび終点ＩＤに対応する図面ＩＤをそれぞれ始点図面ＩＤおよび終点図面ＩＤとして取得する（ステップ０６ａ）。
【００５０】
ルート検索の始点および終点の入力は、入力補助部２２により、ルート検索の始点および終点が属するエリアのエリアＩＤおよび図面ＩＤに対応する図面データ情報、位置情報および接続情報を図面データ情報テーブル、位置情報テーブル４３および接続情報テーブル４４からそれぞれ抽出し、図５および図６に示すように平面的または３次元的に図面データ５１、対象の位置および対象の配管６４の接続状況を表示装置１７に表示しながら、入力装置１６により、始点および終点となる対象を指定するものであってもよい。接続関係の表示としては、接続する２つの対象を直線で結んで表示することが挙げられる。
【００５１】
配管ルート検索部２４は、ルート検索の始点ＩＤおよび終点ＩＤ、これらに対応するエリアＩＤ、始点図面ＩＤ、終点図面ＩＤおよび接続情報テーブル４４の接続情報に基づいてルート検索を行う。
【００５２】
配管ルート検索部２４は、配管６４のルートの検索にあたり、初期条件として、配管ルート検索部２４で取得したルート検索の始点ＩＤ、これに対応するエリアＩＤおよび始点図面ＩＤを、接続始点ＩＤ、エリアＩＤおよび接続始点図面ＩＤと設定する（ステップ０６ｂ）。
【００５３】
配管ルート検索部２４は、ルート検索処理として、接続情報テーブル４４から、設定した接続始点ＩＤ、これに対応するエリアＩＤおよび接続始点図面ＩＤに一致するデータを検索し、そのデータの接続終点ＩＤ、エリアＩＤおよび接続終点図面ＩＤを抽出する（ステップ０６ｃ）。また、配管ルート検索部２４は、抽出した接続終点ＩＤおよびこれに対応する接続終点図面ＩＤを、通過点リストとして取得する。さらに、配管ルート検索部２４は、配管６４のルートの始点と終点の間のルート距離を算定するため、接続情報テーブル４４の対応するデータうち接続関係にある２つの対象間の距離を積算する。
【００５４】
次いで、配管ルート検索部２４は、ルート検索処理の継続の判定処理として、以下の（１）または（２）の条件が満たされるか否かの判定を行う（ステップ０６ｄ）。（１）の条件は、上記抽出した接続終点ＩＤが、ルート検索の終点ＩＤと一致するという条件である。（２）の条件は、接続情報テーブル４４から、接続始点ＩＤ、エリアＩＤおよび接続始点図面ＩＤに一致するデータが見つからないという条件である。
【００５５】
配管ルート検索部２４は、（１）または（２）の条件が満たされない場合、代入処理として、抽出した接続終点ＩＤ、エリアＩＤおよび接続終点図面ＩＤを、それぞれ接続始点ＩＤ、エリアＩＤおよび接続始点図面ＩＤと設定し（ステップ０６ｅ）、上記ステップ０６ｃを実行する。
【００５６】
配管ルート検索部２４は、（１）または（２）の条件が満たされる場合には、配管６４のルート検索を終了する。
（１）の条件が満たされた場合には、配管ルート検索部２４は、検索されたルートごとに、ルート情報として、ルート検索の始点ＩＤおよび終点ＩＤ、これらに対応するエリアＩＤ、始点図面ＩＤおよび終点図面ＩＤ、ルート距離および通過点リストにルートＩＤを付与してルート情報テーブル４６に登録し、ルート情報テーブル４６の更新を行う。図１３は、ルート情報テーブル４６に登録される情報を示す。ルートＩＤは、ルート検索で指定した始点ＩＤおよび終点ＩＤに対し、検索されたルートごとに異なる数字が割り振られる。ルート検索の始点ＩＤおよび終点ＩＤならびに通過点リストを参照すれば、始点から終点に至るルートを把握することができる。
配管ルート検索部２４は、（２）の条件が満たされる場合には、終点に到達するルートが存在しないので、ルート情報を登録することなく、配管６４のルート検索を終了する。
【００５７】
以下の説明において、ルート情報とは、ルート検索の始点ＩＤおよび終点ＩＤ、これらに対応するエリアＩＤ、始点図面ＩＤおよび終点図面ＩＤ、ルート距離および通過点リストまたはこれらにルートＩＤを含めたものをいうものとする。
【００５８】
ケーブル情報取得部２０ｆは、検索したルートの配管６４に敷設されるまたは敷設予定のケーブルの情報を取得する。具体的には、ケーブル情報取得部２０ｆは、入力装置１６からの入力により、ルート情報テーブル４６からケーブルの情報を取得しようとするルートのルート情報を取得するとともに、このルートに敷設されているまたは敷設予定のケーブルの情報を取得する。ケーブルの情報としては、例えば、ケーブル名称、ケーブルの種類、芯数および太さが挙げられる。
【００５９】
ルートの情報の取得は、入力補助部２２により、ルート情報テーブル４６からルート情報を抽出し、図５および図６に示すように平面的または３次元的に図面データ５１、対象の位置、対象の接続関係およびルートを表示装置１７に表示し、入力装置１６により、１のルートを指定し、これに対応するルート情報をルート情報テーブル４６から取得するものであってもよい。
【００６０】
ケーブル情報取得部２０ｆは、取得したルート情報に、ケーブルの情報を付加してルート情報テーブル４６に登録し、ルート情報テーブル４６の更新を行う。
【００６１】
出力部２６は、指令に応じて、情報取得部２０で取得した情報や各テーブルの情報を、表示装置１７に表示する。
【００６２】
次に、配管管理装置１０の使用方法について説明する。図１４は、配管管理装置１０の使用の流れを示す。
【００６３】
ステップＳ０１において、配管管理装置１０は、エリア情報取得部２０ａが、ユーザーの入力装置１６からの入力により、エリア情報を取得する。さらに、エリア情報取得部２０ａは、取得したエリア情報をエリア情報テーブル４１に登録し、エリア情報テーブル４１の更新を行う。
出力部２６は、指定したエリア情報をエリア情報テーブル４１から抽出し、表示装置１７に表示する。
なお、エリア情報を取得する必要がない場合、ステップＳ０１は省略される。
【００６４】
次いで、ステップＳ０２において、配管管理装置１０は、図面情報取得部２０ｂが、ユーザーの入力装置１６からの入力により、図面データ情報を取得する。さらに、図面情報取得部２０ｂは、取得した図面データ情報を図面情報テーブル４２に登録し、図面情報テーブル４２の更新を行う。
出力部２６は、取得した図面データ情報を図面情報テーブル４２から抽出し、表示装置１７に表示する。
なお、図面データ情報を取得する必要がない場合、ステップＳ０２は省略される。
【００６５】
ステップＳ０３において、配管管理装置１０は、位置情報取得部２０ｃが、ユーザーの入力装置１６からの入力により、対象の位置情報を取得する。さらに、位置情報取得部２０ｃは、取得した対象の位置情報を位置情報テーブル４３に登録し、位置情報テーブル４３の更新を行う。
出力部２６は、指定した対象の位置情報を位置情報テーブル４３から抽出し、表示装置１７に表示する。
なお、対象の位置情報を取得する必要がない場合、ステップＳ０３は省略される。
【００６６】
ステップＳ０４において、配管管理装置１０は、接続情報取得部２０ｄが、ユーザーの入力装置１６からの入力により、対象（配管の任意の場所６６または電気機器６２）の配管６４の接続情報を取得する。また、接続情報取得部２０ｄは、接続関係にある２つの対象間の距離を算定する。さらに、接続情報取得部２０ｄは、取得した対象の接続情報を接続情報テーブル４４に登録し、接続情報テーブル４４の更新を行う。
出力部２６は、指定した対象の接続情報を接続情報テーブル４４から抽出し、表示装置１７に表示する。
なお、対象の接続情報を取得する必要がない場合、ステップＳ０４は省略される。
【００６７】
ステップＳ０５において、配管管理装置１０は、画像情報取得部２０ｅが、ユーザーの入力装置１６からの入力により、電気機器６２を撮影した画像５３の情報を取得する。さらに、画像情報取得部２０ｅは、取得した電気機器６２の画像５３の情報を画像情報テーブル４５に登録し、画像情報テーブル４５の更新を行う。
出力部２６は、指定した電気機器６２の画像５３の情報を接続情報テーブル４４から抽出し、表示装置１７に表示する。
なお、電気機器６２の画像５３の情報を取得する必要がない場合、ステップＳ０５は省略される。
【００６８】
ステップＳ０６において、配管管理装置１０は、配管ルート検索部２４が、ユーザーの入力装置１６からの入力により、配管６４のルート検索の始点および終点の情報としての始点ＩＤおよび終点ＩＤ、始点ＩＤおよび終点ＩＤに対応するエリアＩＤならびに始点図面ＩＤおよび終点図面ＩＤを取得する。
次いで、配管ルート検索部２４は、取得した配管６４のルート検索の始点および終点の情報としての始点ＩＤおよび終点ＩＤに対する配管６４のルートを検索する。この際、配管ルート検索部２４は、配管６４のルートの距離を算定し、ルートの通過点を表す通過点リストを取得する。
配管ルート検索部２４は、検索した配管６４のルートごとに、ルート情報をルート情報テーブル４６に登録し、ルート情報テーブル４６の更新を行う。
出力部２６は、検索した配管６４のルートを表示装置１７に平面的または三次元的に表示する。また、出力部２６は、指定した配管６４のルートのルート情報を表示装置１７に表示する。
【００６９】
ステップＳ０７において、配管管理装置１０は、ケーブル情報取得部２０ｆが、ユーザーの入力装置１６からの入力により、ルート情報テーブル４６からルートの情報を取得し、情報を取得したルートに敷設されているまたは敷設予定のケーブルの情報を取得する。さらに、ケーブル情報取得部２０ｆは、取得したルート情報に、ケーブル情報を付加してルート情報テーブル４６に登録し、ルート情報テーブル４６の更新を行う。
出力部２６は、指定したルートのケーブル情報を表示装置１７に表示する。
なお、ケーブル情報を取得する必要がない場合、ステップＳ０７は省略される。
【００７０】
配管管理装置１０、配管管理方法および配管管理のプログラムによると、施設において配管６４にケーブルを敷設するための配管６４のルートを容易かつ適切に検索することができる。また、これにより、ルートの決定や、現場でのルートの確認にかかる手間、時間およびコストを大幅に削減することができる。
【００７１】
配管管理装置１０、配管管理方法および配管管理のプログラムによると、検索したルートの長さを算定することができるので、敷設に必要なケーブルの長さやケーブルのコストを正確に見積ることができる。
【００７２】
配管管理装置１０、配管管理方法および配管管理のプログラムによると、画像取得部で電気機器６２に対する画像情報を取得するので、現場に行かなくても画像５３により電気機器６２を把握することができ、現場に行って電気機器６２を確認する手間、時間およびコストを省くことができる。
【００７３】
配管管理装置１０、配管管理方法および配管管理のプログラムによると、情報取得部２０を備えているので、施設や建物における電気機器６２、配管６４およびケーブルなどのデータベース（テーブル）を構築できる。
【００７４】
配管管理装置１０、配管管理方法および配管管理のプログラムによると、検索したルートに敷設されるケーブルの情報を取得するので、配管６４に共存させることができないケーブルが敷設されている場合にはケーブルを敷設するルートを変更するなど、ケーブル情報に基づいて、ケーブル敷設の可能の有無を判断することができる。これにより、敷設するケーブルの選定や、現場に敷設されたケーブルの確認にかかる手間、時間およびコストを大幅に削減することができる。
【００７５】
配管管理装置１０、配管管理方法および配管管理のプログラムによると、入力補助部２２を備えているので、表示装置１７に施設を示す図面データ５１などを表示しながら、情報を入力することができるので、視覚的にわかりやすく、効率的に接続情報を入力することができる。
【００７６】
本発明は、上記実施形態に特に限定されるものではなく、本発明の要旨の範囲内において適宜変更することができる。
【符号の説明】
【００７７】
１０    配管管理装置
１１    ＣＰＵ
１２    ＲＡＭ
１３    ＲＯＭ
１４    記憶装置
１５    通信装置
１６    入力装置
１７    表示装置
１８    バス
２０    情報取得部
２０ａ    エリア情報取得部
２０ｂ    図面情報取得部
２０ｃ    位置情報取得部
２０ｄ    接続情報取得部
２０ｅ    画像情報取得部
２０ｆ    ケーブル情報取得部
２２    入力補助部
２４    配管ルート検索部
２６    出力部
３０    サーバ
３１    ＣＰＵ
３２    ＲＡＭ
３３    ＲＯＭ
３４    記憶装置
３５    通信装置
３８    バス
４１    エリア情報テーブル
４２    図面情報テーブル
４３    位置情報テーブル
４４    接続情報テーブル
４５    画像情報テーブル
４６    ルート情報テーブル
５１    図面データ
５３    画像
６２    電気機器
６４    配管
６６    配管の任意の場所
７０    ネットワーク
【図１】
2018028861.tif 000003
【図２】
2018028861.tif 000004
【図３】
2018028861.tif 000005
【図４】
2018028861.tif 000006
【図５】
2018028861.tif 000007
【図６】
2018028861.tif 000008
【図７】
2018028861.tif 000009
【図８】
2018028861.tif 000010
【図９】
2018028861.tif 000011
【図１０】
2018028861.tif 000012
【図１１】
2018028861.tif 000013
【図１２】
2018028861.tif 000014
【図１３】
2018028861.tif 000015
【図１４】
2018028861.tif 000016